【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
第１の平面壁（１８）及び第２の平面壁（１６）と、主支持構造体（２０）と、第２の支持構造体（４０）とを備え、
該主支持構造体（２０）は、該第１の平面壁（１８）と該第２の平面壁（１６）との間で第１の力を結合させるために該第１の平面壁（１６）と該第２の平面壁（１８）との間に配置されていて、
該第２の支持構造体（４０）は、該第１の平面壁（１８）と該第２の平面壁（１６）との間に延在して該第１の平面壁（１８）から該第２の平面壁（１６）への第２の力を該第１の平面壁（１６）から該第２の平面壁（１８）に向けて直角でない角度で指向して該第２の平面壁の曲げに少なくとも部分的に抗することを特徴とするプラテン。
【請求項２】
前記第２の支持構造体（４０）は、力を前記第２の平面壁の隅部に結合させる、請求項１に記載のプラテン。
【請求項３】
前記第２の平面壁の隅部にタイ・バー支持構造体を更に備える、請求項２に記載のプラテン。
【請求項４】
前記タイ・バー支持構造体は孔（１４）を含む、請求項３に記載のプラテン。
【請求項５】
前記主支持構造体（２０）と前記第２の支持構造体（４０）との間にガセット（４２）を更に備える、請求項１に記載のプラテン。
【請求項６】
前記ガセット（４２）及び前記第２の支持構造体（４０）は一体的に形成されている、請求項５に記載のプラテン。
【請求項７】
前記主支持構造体（２０）は、力を前記第１平面壁（１８）の内側領域から前記第２平面壁（１６）の外側領域に結合させる、請求項１に記載のプラテン。
【請求項８】
前記第２の支持構造体（４０）は、前記第１の平面壁（１８）から前記第２の平面壁（１６）へ突き出ているリブ（４０）から成り、該リブ（４０）により前記第１の平面壁から前記第２の平面壁へ力が結合され前記第２の平面壁の曲げに対し少なくとも部分的に抗する、請求項１に記載のプラテン。
【請求項９】
前記主支持構造体（２０）がリブ（４０）によって補強されている、請求項１に記載のプラテン。
【請求項１０】
前記リブ（４０）が前記第２の平面壁の縁部に接続されている、請求項８または９に記載のプラテン。
【請求項１１】
前記リブ（４０）が前記第１の平面壁の縁部より内方の位置で前記第１の平面壁に接続されている、請求項１０に記載のプラテン。
【請求項１２】
前記リブ（４０）が対のリブ（４０）として設けられていて、該対のリブ（４０）は前記第１の平面壁から前記第２の平面壁に向かって互いに離れる方向に突き出ている、請求項８または９に記載のプラテン。
【請求項１３】
前記第１の平面壁は矩形状であり、タイ・バーを受けるために孔（１４）が前記第２の平面壁の隅部に設けられている、請求項１に記載のプラテン。
【請求項１４】
前記リブ（４０）が前記第２の平面壁の隅部に接続されている、請求項１２に記載のプラテン。
【請求項１５】
前記主支持構造体（２０）は中空円錐状の壁体から成る、請求項１に記載のプラテン。
【請求項１６】
前記リブ（４０）が前記第１の平面壁から前記第２の平面壁に向かって２０度ないし７０度の範囲の角度で突き出ている、請求項８または９に記載のプラテン。
【請求項１７】
前記リブ（４０）が前記第１の平面壁から前記第２の平面壁に向かって２５度ないし４０度の範囲の角度で突き出ている、請求項１６に記載のプラテン。
【請求項１８】
前記リブ（４０）が前記第１の平面壁から前記第２の平面壁に向かって２８度ないし３５度の範囲の角度で突き出ている、請求項１６に記載のプラテン。
【請求項１９】
前記リブ（４０）が少なくとも２対のリブから成る、請求項８または９に記載のプラテン。
【請求項２０】
前記第１の平面壁（１８）と前記第２の平面壁（１６）とは互いに平行に離間して配置され、前記第１の平面壁（１８）が金型側に位置する、請求項１ないし１９のいずれかに記載のプラテン。
【請求項２１】
前記リブ（４０）が中実体である、請求項８または９に記載のプラテン。
【請求項２２】
少なくとも一つのガセット（４２）が少なくとも一つのリブ（４０）と前記主支持構造体（２０）との間に配置されている、請求項８または９に記載のプラテン。
【請求項２３】
前記ガセット（４２）が前記リブ（４０）から前記主支持構造体（２０）に延在している、請求項２２に記載のプラテン。
【請求項２４】
前記ガセット（４２）がタイ・バー支持構造体（２５）の周りで円弧状に延在している、請求項２２に記載のプラテン。
【請求項２５】
前記ガセット（４２）がタイ・バー支持構造体の周囲に延在している、請求項２４に記載のプラテン。
【請求項２６】
前記ガセット（４２）及び前記リブが一体的に形成されている、請求項２２に記載のプラテン。
【請求項２７】
前記プラテンが射出成形機に装着される、請求項１ないし２６のいずれかに記載のプラテン。
【請求項２８】
プラテンであって、平行に離間した第１の壁（１８）及び第２の壁（１６）を有し、該第１の壁は金型側に位置しており、該第１の壁と該第２の壁は、締結動作による力（Ｆ）の第１の方向に対して交差する方向に延在しており、該第１及び第２の壁の各々は縁部と中央部分とを有し、
中間支持構造体（２０）が該第１及び第２の壁の間に配置され、かつ該第１及び第２の壁と接続されており、
該第２の壁は隅部に孔（１４）が設けられており、該孔（１４）を通してタイ・バー（２５）が配置され該孔（１４）により該タイ・バー（２５）と該第２の壁（１６）との機械的結合が支持され、締結力（Ｆ，ＦＩ，ＦＲ）が該第１の壁を介して、該中間支持構造体（２０）及び該機械的結合により伝達され、    
該中間支持構造体（２０）は、該第１の方向の力（Ｆ）を該第１の壁の縁部から該第１の壁の中央部分に指向させ、該第１の壁の変形を防止し、該中間支持構造体（２０）は、該第１の壁に連結された第１の端部と、該第２の壁に連結され該第１の端部より広い領域の第２の端部とを有し、該中間支持構造体（２０）は、アーチ形状、円錐形状、Ｖ字形状またはＣ字形状とされていて該第１の方向の力の作用下において、それによる圧縮力（Ｃ）を支持し、
該プラテンは、該第１の壁から垂直ではない角度で該第２の壁に突き出ているリブ（４０）を含み、該リブは該第１の壁からの力を該第２の壁に結合させて該第２の壁の曲げに対して少なくとも部分的に抗するように作用し、該リブ（４０）は該第１の壁の中央部分から該第２の壁の隅部に向けて外方に突き出ている、プラテン。
【請求項２９】
前記リブ（４０）と前記中間支持構造体（２０）との間に延在するガセット（４２）を更に含む、請求項２８に記載のプラテン。
【請求項３０】
前記ガセットは、前記リブ（４０）と前記中間支持構造体（２０）とに対し所定の角度で延在している、請求項２９に記載のプラテン。
【請求項３１】
前記ガセット及び前記リブ（４０）が一体的に設けられている、請求項３０に記載のプラテン。
【請求項３２】
前記第２の壁の隅部にタイ・バー支持構造体が設けられている、請求項２８に記載のプラテン。
【請求項３３】
前記タイ・バー支持構造体は前記第２の壁の隅部を貫通する孔（１４）を含み、該孔（１４）にタイ・バーが配置され、該タイ・バーにより締結力が少なくとも部分的に作用する、請求項３２に記載のプラテン。
【請求項３４】
第１の平面壁（１８）及び第２の平面壁（１６）と、該第１の平面壁（１８）と該第２の平面壁（１６）との間に配置された中間支持構造体（２０）と、該中間支持構造体（２０）を補強するリブ（４０）とを備え、該リブ（４０）は該第１の平面壁（１８）から垂直でない角度で該第２の平面壁（１６）へ突き出るように構成され該第１の平面壁（１８）からの力を該第２の平面壁（１６）へ結合させて該第２の平面壁（１６）の曲げに対して少なくとも部分的に抗することを特徴とするプラテン。
【請求項３５】
該リブが該第２の平面壁の縁部に接続されている、請求項３４に記載のプラテン。
【請求項３６】
該リブが該第１の平面壁の縁部より内側に接続されている、請求項３５に記載のプラテン。
【請求項３７】
該リブは、該第１の平面壁から互いに離れるように該第２の平面壁に突き出ている対のリブとして設けられている、請求項３４に記載のプラテン。
【請求項３８】
該第１の平面壁は矩形状であり、タイ・バーを受容する孔が該第１の平面壁に設けられている、請求項３４に記載のプラテン。
【請求項３９】
該リブが該第２の平面壁の隅部に接続されている、請求項３８に記載のプラテン。
【請求項４０】
該中間支持構造体（２０）は、中空円錐状の壁体から成る、請求項３４に記載のプラテン。
【請求項４１】
該リブが前記第１の平面壁から前記第２の平面壁に向かって２０度ないし７０度の範囲の角度で突き出ている、請求項３４に記載のプラテン。
【請求項４２】
該リブが前記第１の平面壁から前記第２の平面壁に向かって２５度ないし４０度の範囲の角度で突き出ている、請求項４１に記載のプラテン。
【請求項４３】
該リブ（４０）が前記第１の平面壁から前記第２の平面壁に向かって２８度ないし３５度の範囲の角度で突き出ている、請求項４２に記載のプラテン。
【請求項４４】
該リブは少なくとも４つの対のリブから成る、請求項３４に記載のプラテン。
【請求項４５】
該リブは中実体である、請求項３４に記載のプラテン。
【請求項４６】
少なくとも一つのリブと該中間支持構造体との間に少なくとも一つのガセット（４２）を備える、請求項３４に記載のプラテン。
【請求項４７】
該ガセットが該リブから該中間支持構造体に延在する、請求項４６に記載のプラテン。
【請求項４８】
該ガセットがタイ・バー支持構造体（２５）の周りで円弧状に延在している、請求項４６に記載のプラテン。
【請求項４９】
各ガセットがタイ・バー支持構造体の周囲に延在している、請求項４８に記載のプラテン。
【請求項５０】
前記ガセット（４２）及び前記リブが一体的に形成されている、請求項４６に記載のプラテン。
【請求項５１】
前記プラテンが射出成形機に装着される、請求項３４ないし５０のいずれかに記載のプラテン。
【請求項５２】
射出成形機用プラテンであって、該プラテンは、
第１及び第２の平面壁の間に配置された中間支持構造体（２０）によって平行に離間された関係で維持されている第１の平面壁（１８）及び第２の平面壁（１６）と、
該中間支持構造体（２０）を補強する少なくとも一つのリブ（４０）とを備え、該リブ（４０）は垂直でない角度で該第１の平面壁（１８）と該第２の平面壁（１６）との間に延在し該第１の平面壁（１８）からの圧縮力を該第２の平面壁（１６）へ結合させて該第２の平面壁（１６）の曲げに対して少なくとも部分的に抗することを特徴とするプラテン。
【請求項５３】
前記少なくとも一つのリブは、前記第２の平面壁の端部に接続されている、請求項５２に記載のプラテン。
【請求項５４】
前記少なくとも一つのリブは、タイ・バー支持構造体を有する該第２の平面壁の一部に接続されている、請求項５２に記載のプラテン。
【請求項５５】
第１の平面壁（１８）及び第２の平面壁（１６）と、
該第１の平面壁（１８）及び第２の平面壁（１６）間において第１の力を結合させる主支持構造体（２０）と、
該第１の力より小さい、該第１の平面壁から該第２の平面壁への第２の力を該第１の平面壁から垂直でない角度で該第２の平面壁に向かう方向へ指向させ該第２の平面壁の曲げに対して部分的に抗するようにさせる第２の支持構造体（４０）とを備え、該第２の支持構造体は垂直でない角度で該主支持構造体に対して傾いていることを特徴とするプラテン。
【請求項５６】
前記第２の支持構造体（４０）は、該第２の力を前記第２の平面壁の隅部に結合させる、請求項５５に記載のプラテン。
【請求項５７】
前記第２の平面壁の隅部にタイ・バー支持構造体を更に備える、請求項５６に記載のプラテン。
【請求項５８】
前記タイ・バー支持構造体は孔（１４）を含む、請求項５７に記載のプラテン。
【請求項５９】
前記主支持構造体（２０）と前記第２の支持構造体（４０）との間にガセット（４２）を更に備える、請求項５５に記載のプラテン。
【請求項６０】
前記ガセット（４２）及び前記第２の支持構造体（４０）は一体的に形成されている、請求項５９に記載のプラテン。
【請求項６１】
前記主支持構造体（２０）は、力を前記第１の平面壁（１８）の内側領域から前記第２の平面壁（１６）の外側領域に結合させる、請求項５６に記載のプラテン。
【請求項６２】
使用時に成形型を支持する前壁（１８）と、
隅部を有する後壁（１６）と、
締結力の作用下において該前壁と該後壁との間で圧縮力を支持する第１の組のリブ（２０）を含み、かつ該前壁と該後壁との間に配置された中間支持構造体（２０）と、
該中間支持構造体の該第１の組のリブとは異なる第２の組のリブ（４０）とを備え、
該第２の組のリブは、締結力の作用下において該前壁に対する該後壁の隅部の補強により、該後壁の曲げに少なくとも部分的に抗するように、該前壁から垂直でない角度で該後壁へ突き出ていることを特徴とする、プラテン。
【請求項６３】
前記第２の組の各リブ（４０）と前記中間支持構造体（２０）との間にガセット（４２）を更に備える、請求項６２に記載のプラテン。
【請求項６４】
前記ガセットは、前記第２の組のリブから前記中間支持構造体に延在している、請求項６３に記載のプラテン。
【請求項６５】
前記ガセット（４２）がタイ・バー支持構造体（２５）の周りで円弧状に延在している、請求項６３に記載のプラテン。
【請求項６６】
各ガセット（４２）がタイ・バー支持構造体の周囲に延在している、請求項６５に記載のプラテン。
【請求項６７】
前記ガセット（４２）及び前記第２の組の各リブとが一体的に形成されている、請求項６３に記載のプラテン。
【請求項６８】
前記タイ・バー支持構造体は前記後壁の隅部を貫通する孔（１４）を含む、請求項６５に記載のプラテン。
【請求項６９】
前記プラテンが射出成形機に装着される、請求項６２ないし６８のいずれかに記載のプラテン。
【請求項７０】
成形型装着面及び裏面を有する前壁（１８）と、
縁部及び隅部を有し、該前壁の裏面から離間している平坦な後壁（１６）と、
第１の組のリブによって、該前壁の裏面に接続される第１の端部と該後壁の縁部に接続され該第１の端部より広い領域の第２の端部とを有するアーチ形状、円錐形状、Ｖ字形状またはＣ字形状とされた、該前壁と該後壁との間に配置されている中間支持構造体（２０）と、
該中間支持構造体の第１の組のリブとは異なる第２の組のリブ（４０）とを備え、
該第２の組のリブは、該前壁及び該後壁に接続され、かつ該後壁の隅部から垂直でない角度で該前壁の内方に向けて突き出ていて該後壁の隅部が補強され、締結力の作用下において、該第２の組のリブにより該後壁の隅部の曲げに対し少なくとも部分的に抗することを特徴とするプラテン。
【請求項７１】
前記第２の組の各リブ（４０）と前記中間支持構造体（２０）との間にガセット（４２）を更に備える、請求項７０に記載のプラテン。
【請求項７２】
前記ガセットは、前記第２の組のリブから前記中間支持構造体に延在している、請求項７１に記載のプラテン。
【請求項７３】
前記ガセット（４２）がタイ・バー支持構造体（２５）の周りで円弧状に延在している、請求項７１に記載のプラテン。
【請求項７４】
各ガセット（４２）がタイ・バー支持構造体の周囲に延在している、請求項７３に記載のプラテン。
【請求項７５】
前記タイ・バー支持構造体は前記後壁の隅部を貫通する孔（１４）を含む、請求項７３に記載のプラテン。
【請求項７６】
前記ガセット（４２）及び前記第２の組の各リブとが一体的に形成されている、請求項７１に記載のプラテン。
【請求項７７】
前記プラテンが射出成形機に装着される、請求項７０ないし７６のいずれかに記載のプラテン。
【請求項７８】
第１の平面壁（１８）及び第２の平面壁（１６）と、
該第１の平面壁と該第２の平面壁との間に配置された中間支持構造体（２０）と、
該第１の平面壁からの力を該第２の平面壁に結合させ該第２の平面壁の曲げに対して少なくとも部分的に抗するように、該第１の平面壁から垂直でない角度で該第２の平面壁に突き出ているリブ（４０）と、
該リブの少なくとも一つと該中間支持構造体との間に配置された少なくとも一つのガセットとを備えたことを特徴とするプラテン。
【請求項７９】
前記ガセットは、前記リブから前記中間支持構造体に延在している、請求項７８に記載のプラテン。
【請求項８０】
前記ガセット（４２）がタイ・バー支持構造体（２５）の周りで円弧状に延在している、請求項７８に記載のプラテン。
【請求項８１】
各ガセット（４２）がタイ・バー支持構造体の周囲に延在している、請求項８０に記載のプラテン。
【請求項８２】
前記プラテンが射出成形機に装着される、請求項７８ないし８１のいずれかに記載のプラテン。
【手続補正２】
【補正対象書類名】明細書
【補正対象項目名】００３１
【補正方法】変更
【補正の内容】
【００３１】
リブ４０の各ペアは、前壁と後壁の間に延在しており、前面１８の中央領域から、タイ・バー支持部２５の外縁部に向かって（および好ましくは孔１４の縁部へ）広がっている／発散している。各角度のついたリブ４０は、前面１８に対して角度βで傾斜している。角度βは、好ましくは約２０度（２０°）から７０度（７０°）の範囲であり、より好ましくは約２５度（２５°）から４０度（４０°）の範囲であり、最も好ましくは約２８度（２８°）から３５度（３５°）の範囲である。プラテンの対向する側のリブ４０の対は、同じ角度対称を共有している。角度は、全体的なサイズおよびプラテンの壁の分離にもいくらか依存する。理解されるように、角度βが浅すぎる場合、リブが、重なり、交差してしまう。これは望ましくない、なぜなら、力の経路は、プラテン５０の前面１８の中央部分を横切って（集中されずに）好適に分散されるからである。本発明の好ましい実施形態のリブ４０の対を採用することによって、タイ・バーへの力の経路が、あまり急変されず、より滑らかな力の移行が可能となり、プラテンの縁部の曲げに抵抗することとなる。